(57)【特許請求の範囲】
【請求項１】
少なくとも１つの三次元画像を生成する方法であって、
グラフィックオブジェクトを所定の挿入深さで前記少なくとも１つの三次元画像に挿入することと、
前記挿入されるグラフィックオブジェクトを囲む移行領域を決定することであって、前記移行領域が前記グラフィックオブジェクトを画定する内部エッジと当該内部エッジから離れた外部エッジとにより画定され、前記決定することは、前記内部エッジに位置する前記挿入されるグラフィックオブジェクトの第１の画素の深さ値と、前記外部エッジに位置する前記少なくとも１つの三次元画像の第２の画素の深さ値との間の差に基づいて、前記移行領域の幅を適応させることを含む、前記移行領域を決定することと、
前記外部エッジに位置する前記第２の画素の深さから前記内部エッジの前記挿入されるグラフィックオブジェクトの前記第１の画素の深さへと深さが徐々に変化するように、前記移行領域に位置する前記少なくとも１つの三次元画像の画素の深さを処理することと、
を含む、前記方法。
【請求項２】
前記処理することは、前記移行領域に位置する各画素の前記深さを前記移行領域の前記外部エッジから前記内部エッジへ漸進的に増加させることを含む、請求項１記載の少なくとも１つの三次元画像を生成する方法。
【請求項３】
前記移行領域の各画素に適用される前記深さを増加させることは、前記移行領域の前記内部エッジと前記外部エッジとの間の距離の関数に基づいており、当該関数は線形関数、三角関数または放物線関数のうちの１つである、請求項２記載の少なくとも１つの三次元画像を生成する方法。
【請求項４】
前記方法は、前記グラフィックオブジェクトに関連付けられたデータを受信することを含み、当該受信されたデータは、他のデータ項目に加えて、前記挿入されるグラフィックオブジェクトの周りの前記移行領域の前記幅を含む、請求項１記載の少なくとも１つの三次元画像を生成する方法。
【請求項５】
三次元画像を生成する装置であって、
少なくとも１つの三次元画像にグラフィックオブジェクトを挿入する手段と、
前記挿入されるグラフィックオブジェクトを囲む移行領域を決定する手段であって、前記移行領域は、前記グラフィックオブジェクトの輪郭に対応する内部エッジと前記内部エッジから離れた外部エッジとによって画定され、前記決定する手段は、前記内部エッジに位置する第１の画素の深さ値と、前記外部エッジに位置する第２の画素の深さ値との間の差に基づいて、前記移行領域の幅を適応させる手段をさらに含む、前記決定する手段と、
前記外部エッジに位置する前記第２の画素の深さから前記内部エッジの前記挿入されるグラフィックオブジェクトの前記第１の画素の深さへと深さが徐々に変化するように、前記移行領域に位置する前記少なくとも１つの三次元画像の画素の深さを処理する手段と、
を備える、前記装置。
【発明の詳細な説明】
【技術分野】
【０００１】
本発明は、３次元（３Ｄ）ドキュメント画像を表示できる画面（スクリーン）上に３次元ドキュメント画像を表示するための方法に関すると共に、当該方法に基づいて表示信号を生成する装置にも関する。
【背景技術】
【０００２】
現在、起伏（凹凸）であるという知覚・認識を復元する（感じさせる）ためにビデオ処理に用いられるいくつかの方法があり、例えば、実体視法（立体視法、ステレオスコープ法）がある。実体視法では、同じシーンの２つのビュー（光景）を、２つの異なるビデオカメラまたは２つの異なる静止（固定）カメラで、横方向に互いからオフセットした２つの異なる視点から記録する。観察者が３次元表示で見ることができるようにするために、同じシーンの前記２つのビュー（左右のビューと呼ばれる）は、表示装置の同一画面上に表示されて、ＰＤＰ（プラズマディスプレイパネル）もしくはＬＣＤ（液晶ディスプレイ）型スクリーン又はビデオプロジェクタスクリーンが使用される。観察者は、典型的にはそれぞれの目に対応するビューを透過する眼鏡（メガネ）をかける。
【０００３】
このような画面に表示される３Ｄ画像における起伏（凹凸）の知覚・認識は、左画像と右画像の視差に直接依存する。つまり、記録されたシーンの同じオブジェクト要素を表す２つの画素を隔てる距離（例えば画素数で測定することができる）に直接依存する。当該画素の１つは左眼で知覚さることを意図し、他方の画素は右眼で知覚さることを意図する。これら画素は表示装置のレベルで同じビデオ情報を表す。即ち、当該画素は、記録されたシーンの同じオブジェクト要素を表す。
【０００４】
３Ｄ画像のオブジェクト要素に関連付けられた視差値は、フィルムまたはビデオの左画像及び右画像内の当該要素の横軸上の位置ずれ（位置の違い）に対応する。視差は、特に、記録されたシーンと記録カメラとの間のオブジェクト間距離、並びに、左カメラと右カメラの間の距離に依存する。一般的に、２つのカメラは例えば６．５ｃｍ以上の距離だけ互いから隔てられる。なぜなら、この距離は人間の２つの目の間の平均距離に相当するからである。
【０００５】
オブジェクトが他のオブジェクトの後に配置されている場合は、当該他のオブジェクトの後に置かれたオブジェクトの部分（パーツ）は、一方の目には見えるかも知れないが他方の目には隠れて見えない。これは、当該オブジェクトの前にある当該他のオブジェクトが前記部分を隠さない場合である。前記部分が見えるかどうかは、前記部分を一方の目で見ているのか、他方の目で見ているのかによって異なる。「オクルージョン（ｏｃｃｌｕｓｉｏｎ）」と呼ばれるこの現象によれば、脳は、オブジェクトが別のオブジェクトの背後に位置しており、異なる深さにあることを推測することができる。３Ｄシーンの視野角度に応じて、オブジェクトは、前に置かれたオブジェクトによって隠されることもあるし隠されないこともある。従って、３Ｄでは、遮られたオブジェクトは、遮るオブジェクトよりも大きな深さを有する（遮るオブジェクトの後にあると知覚される）。２次元（２Ｄ）画像においては、同じ画像が２つの目によって知覚され、その際、どのような角度から画像のオブジェクトが見られたとしても、そこにあるオクルージョンが維持され、２Ｄ画像は観察者に立体的な深さを知覚させない。
【０００６】
３Ｄシーケンスは通常、様々な深さにあるオブジェクトを含み、特に、画面の後に知覚されるオブジェクトと画面の前に知覚される他のオブジェクトを含む。特に、ＯＳＤ（Ｏｎ  Ｓｃｒｅｅｎ  Ｄｉｓｐｌａｙ：オンスクリーンディスプレイ）回路を使用して、画面に表示された画像に重ねるようにグラフィックオブジェクトを表示するためには、当該グラフィックオブジェクトが例えば、表示装置のパラメータ設定メニュー、ロゴ、スコアパネルまたは様々なテキスト情報要素を表している場合であれば、このグラフィックオブジェクトが前記画像の前に現れるように当該グラフィックオブジェクトを挿入するのが好ましい。よって、当該グラフィックオブジェクトが前景で知覚されるように、視差が当該グラフィックオブジェクトに適用されるべきである。しかし、そうなると、テキスト及びグラフィックオブジェクトの読みやすさが低下し、観察者の目が３Ｄシーンからの当該グラフィックオブジェクトに移るのに、ある程度の収斂時間が必要になる。その結果として、視覚的な不快感や眼の疲労が生ずる。
【０００７】
この問題に対する最初の解決策は、低視差でこれらグラフィックオブジェクトを適用することである。即ち、前記グラフィックオブジェクトを画面レベルで挿入することである。オクルージョンの問題が考慮されるなら、表示された画像に挿入されたグラフィックオブジェクトは、表示された３Ｄ画像のオブジェクトによって隠されて一部だけが現れるというリスクを有する。よって、当該オブジェクトの後に位置するグラフィックオブジェクトがこれらにより隠されてしまうというリスクがあるので、視覚的な表示は、知覚における高レベルの不快感を引き起こす。
【０００８】
フィリップス社の国際特許出願公開ＷＯ２００８／０３８２０５は、３Ｄシーンのオブジェクトの前にグラフィックオブジェクトを配置するための方法について説明をしている。観察者から最も遠くに知覚されるシーンの部分（本出願において第１のサブ範囲と称す）はビデオ（映像）のみに使用され、観察者により近い第２の部分（第２のサブ範囲）はグラフィックスのみに使用される。その結果、ビデオによりグラフィックデータが遮られることはなく、グラフィックデータにシーンの一部を割り当てることで、グラフィックオブジェクトが常に前景に配置されるようにする。この方法は、ビデオ（映像）によるグラフィックスのオクルージョンの問題を解決するが、映像全体の深さの範囲が小さくなるという代償を払うことになる。
【発明の概要】
【０００９】
本発明は、視覚的な快適さの良好なレベルを維持しながら、ビデオドキュメントの深さを制限することを極力避けつつグラフィックオブジェクトを挿入するための新規な方法を提案する。
【００１０】
本発明の目的は、三次元画像信号にグラフィックオブジェクトを挿入するステップを含む、三次元画像信号を生成するための方法であって、当該方法はさらに下記のステップも含むことを特徴とする。
【００１１】
- 挿入されたグラフィックオブジェクトの周囲の輪郭によって画定される補間領域（ゾーン）を決定するステップ。当該補間領域は所定の厚さを有する。
【００１２】
- 前記補間領域に配置された画素を処理するステップ。前記画素の深さは、挿入されるべきグラフィック要素の輪郭の外部エッジから当該輪郭の内部エッジに向かって少しずつ増加する。前記輪郭の内部エッジ上の画素は、前記挿入されるオブジェクトよりも大きい深さ位置に配置される。
【００１３】
挿入されたオブジェクトの周囲にある３Ｄシーンのオブジェクトの深さの変化（多様性）を維持することにより、ユーザは、簡単に前記挿入されたグラフィックオブジェクトを見ると共にビジュアル的（視覚的）な不快感を最小限に抑えながら、挿入されたオブジェクトの周りの深さ（奥行き）を知覚し続ける。
【００１４】
第１の改良例（態様）によれば、補間領域の各画素に与えられる深さの変化（ばらつき）は、当該画素と輪郭の内部エッジとの間の距離の関数であり、当該関数は以下の複数の関数のうちの１つである。即ち、当該関数は、線形関数、三角関数、放物線関数の１つである。このようにして、挿入されたオブジェクトのエッジにおける深さの変化を効率的に（効果的に）抑制し、深さが大きく変化することによる視覚的インパクトを低減することができる。他の改良例によると、この方法は、グラフィックオブジェクトに関連付けられたデータを受信するステップを含み、当該受信されたデータは、挿入されたグラフィックオブジェクトの周囲の補間領域の幅とその他の情報とを含む。このように、レシーバ（受信装置）は、当該グラフィックオブジェクトにカスタマイズされたパラメータを有し、これにより、当該グラフィックオブジェクトをビデオ画像により良い形で挿入することを可能にする。変形例によれば、受信されたデータは、挿入されるオブジェクトから画面までの距離と、観察者から画面までの距離との比を含む。このように、レシーバは、画面上でカスタマイズされた表示ができるように、当該グラフィックオブジェクトに関連付けられたパラメータを有する。
【００１５】
他の改良例によれば、本発明の方法は、挿入されたグラフィックオブジェクトの深さ（奥行き）を調整するコマンドを導入するステップを含む。このようにして、挿入されたオブジェクトの深さは、より大きな視覚的な快適さをユーザに与えるように当該ユーザによって調整することができる。この改良例をさらに改良した例によれば、補間領域の幅は、ユーザによって導入されたグラフィックオブジェクトの深さを調整するための調整（調整量、調整法）に依存する。
【００１６】
他の改良例によれば、挿入されたグラフィックオブジェクトの周囲の補間領域の幅は可変である。このように、補間領域は、挿入されたオブジェクトの形状に適応することができ、且つ、もし挿入されたオブジェクトが３次元であるなら、その立体的形態に適応することもできる。
【００１７】
また、本発明の目的は、三次元画像信号を生成する装置であり且つグラフィックオブジェクトを当該三次元画像信号に挿入する手段を含む装置を提供することであって、当該装置は、 
- 前記挿入されたグラフィックオブジェクトの周囲の輪郭により画定される補間領域を決定する手段を含み、当該輪郭は所定の厚さを有し、 
- 前記挿入手段は、前記グラフィックオブジェクトの輪郭上に置かれた画素の深さを変更（調整）し、前記画素の深さは挿入されるべき前記グラフィックオブジェクトの輪郭の内部エッジまで少しずつ前記輪郭の外部エッジから増大し、前記輪郭の内側エッジにある画素は前記挿入されたオブジェクトの画素より深い位置に位置される。
【００１８】
本発明は、その特徴及び利点と共に、添付図面を参照しながら特定の非限定的な実施形態の説明を読むことにより明確にされるであろう。 
【図面の簡単な説明】
【００１９】
【図１】図１は、本発明の実施形態に基づいて３Ｄ画像の表示を可能にするレシーバ（受信装置）のブロック図である。
【図２ａ】図２ａは、３Ｄ画像の線形要素の深さと、グラフィックオブジェクトが挿入された場合の当該線形要素の深さの変化（調整）とを示す概略図である。
【図２ｂ】図２ｂは、３Ｄ画像の線形要素の深さと、グラフィックオブジェクトが挿入された場合の当該線形要素の深さの変化（調整）とを示す概略図である。
【図２ｃ】図２ｃは、３Ｄ画像の線形要素の深さと、グラフィックオブジェクトが挿入された場合の当該線形要素の深さの変化（調整）とを示す概略図である。
【図２ｄ】図２ｄは、３Ｄ画像の線形要素の深さと、グラフィックオブジェクトが挿入された場合の当該線形要素の深さの変化（調整）とを示す概略図である。
【図３】図３は、本発明に基づいて挿入されたグラフィックオブジェクトと３Ｄ画像を表示するレシーバの画面を示す図である。
【図４】図４は、３Ｄ画像におけるグラフィックオブジェクトの補間領域の例と、当該領域の要素の深さを表すグラフを示す図である。
【発明を実施するための形態】
【００２０】
図１は、表示スクリーン（画面）を有する表示装置２に接続されたレシーバ（受信装置）１を示している。この表示装置は、例えば、ビデオプロジェクタ、テレビ画面または３Ｄコンテンツ用の任意の画面である。レシーバ１は、例えば３Ｄテレビ受像機または３Ｄ視聴覚端末である。通信手段は、ブロードバンドネットワークを介してデータストリームを送信する。レシーバ１は、メモリ４及びその他の要素に接続された中央処理ユニット（ＣＰＵ）３を含むと共に、例えばリモートコントローラ１０により送信されたコマンドを受信するインターフェース９を含む。さらに、レシーバは、放送ネットワークを介して送信された３Ｄコンテンツデータを受信するために、ディマルチプレクサ７とチューナに関連付けられたアンテナ等の受信手段を含む。１つの変形例では、レシーバにインターフェース５を設けて、３Ｄデータコンテンツを受信するためにブロードバンドデジタルネットワーク６との通信ができるようにする。
【００２１】
また、レシーバ１は、３Ｄコンテンツを記憶するため記憶ユニット１１を含む。使用される記憶サポート部品は、例えば、ランダムアクセスメモリ（ＲＡＭ）、ハードディスクまたは光ディスクである。レシーバ１は、例えば、ＤＶＤ若しくはブルーレイプレーヤ等のデータリーダ１４に接続することができ、または、一体化されたＤＶＤ若しくはブルーレイプレーヤを有することができる。さらにレシーバは、データを画面に表示するためのＯＳＤ（オンスクリーンディスプレイ）回路１３を備える。ＯＳＤは、メモリ４に記録（記憶）された実行可能プログラムに基づいて中央処理ユニット３によって制御される。インターフェース１２は、ビデオデータとＯＳＤ回路からのデータとのインターフェースを取る。レシーバ１は表示装置２と一体化することができる。
【００２２】
レシーバ１は、３Ｄ映像コンテンツに対応するデータを受信し、表示装置２に適合したビジュアルコンテンツに対応するデータを送信する。ＯＳＤ回路１３は、表示画面上の少なくとも１つの挿入ウィンドウ（窓）内に配置された少なくとも１つのグラフィックオブジェクトを３Ｄ映像コンテンツに（挿入）するために中央処理ユニット３からの指令を受信する。これらグラフィックオブジェクトは十分な判読性（明瞭性、可読性）を必要とする。
【００２３】
「グラフィックオブジェクト」は、グラフィカルに再生される文字または記号の任意のセット（組み合わせ）を意味する。 
３Ｄ画像内の挿入ウィンドウに対応する輪郭が、例えば前記文字及び記号のセットの範囲を限定する（定める）。本発明に基づく１つの例では、当該輪郭により範囲限定されて、文字若しくは記号のセットと背景要素と含む内部領域は、挿入されるグラフィックオブジェクトの一部である。本発明の他の例では、挿入されるグラフィックオブジェクトは、文字若しくは記号の前記セットに限定される。
【００２４】
前記グラフィックオブジェクトは、例えば２Ｄ表示（表現）である。本発明の別の例では、グラフィックオブジェクトのみが、または当該グラフィックオブジェクトとその輪郭内に含まれる要素とが、３Ｄ表示である。
【００２５】
本発明の１つの目的は、挿入されたグラフィックオブジェクトが、当該画像の要素によって遮られないようにすることである。 
表示される画像の視差マップは、中央処理ユニットによってそれ自体公知の方法で決定されるか、データストリームを介して送信され、この場合、視差値が右側ビューまたは左側ビューの各要素に関連付けられる。表示される送信されたコンテンツの３次元画像の全ての要素の対応する深さは、このように決定される。正の視差は画面の後に位置する画像要素に対応し、負の視差は画面の前に位置する画像要素に対応する。
【００２６】
本発明の１つの例に基づいて、挿入されるグラフィックオブジェクトが文字または記号のセットに限定されるならば、本発明では最初に、挿入されるグラフィックオブジェクトの挿入ウィンドウ内（つまり、当該グラフィックオブジェクトの周囲の輪郭内）の３Ｄ画像要素の深さ値（奥行き値）を変更・修正する。当該画像部分の対応する要素の視差は補間により変更されて、当該画像部分が、画面の深さを有することなく、当該画面の平面に対応する深さに近い深さに位置されるようにする。従って、これら要素の視差は僅かに正となり、挿入されたグラフィック要素が、これら画像要素によって遮られない。
【００２７】
また、本発明は、３Ｄ画像上への複数のグラフィックオブジェクトの挿入に関する。 
挿入されるグラフィック要素の輪郭によって限定される画像部分と当該画像の残りの部分との間の急激な深さ変化を避けるために、本発明では当該グラフィック要素の輪郭の周りに移行領域が作成される。この領域は、グラフィックオブジェクトの輪郭に対応する第１の内部エッジと、異なるパラメータ（例えば、望まれる表示若しくは画像の２つの部分の間の深さの違い）に応じて決定される幅だけ離れた第２の外部エッジとを含む。
【００２８】
当該領域が広いほど、深さの移行（変化）が緩やかになる。輪郭に対応する内部エッジは、四角形（正方形）、円形または楕円形である。外部エッジは、内部エッジと同じ形状であることが好ましい。他の例では、外部エッジは内部エッジとは異なる形状である。例えば、楕円形の外部エッジは長方形の内部エッジと共に使用され得る。
【００２９】
図２ａ及び図２ｂは、横軸の要素の位置に基づいてビデオドキュメントから抽出された３Ｄ画像のオブジェクト要素の深さを示すグラフと、２Ｄグラフィックオブジェクトの処理及び挿入後の、同じ画像のオブジェクト要素の深さを示すグラフである。
【００３０】
図２ａに示されているように、図示されたオブジェクト要素は可変深さ（知覚されるＺ）を有し、当該可変深さにより、当該オブジェクト要素を画面の前または後に位置することができる。画面深さは破線の縦座標線Ｚｓｃｒｅｅｎに対応している。
【００３１】
図２ｂに示されているように、グラフィックオブジェクトは画面の深さ（奥行き）レベルで挿入され、画面の深さＺにおける破線の複数の点によって表されている。従って、このグラフィックオブジェクトの要素の視差はゼロとなる。これは、領域１として定義された領域に挿入される。
【００３２】
また、移行領域は、図３にも示されているように、挿入されるグラフィック要素の周りに、所定幅の矩形の枠として示されている。挿入ウィンドウの中心部の軸ｘに基づく水平ラインに対応する図２のグラフのレベルでは、当該移行領域は、右側領域（２Ｄ領域）と左側領域（２Ｇ領域）により示されている。
【００３３】
最初に、もし必要ならば、挿入されるグラフィックオブジェクトが補間されて当該画像部の要素の視差値がゼロに近い正の値を有するようになるなら、３Ｄ画像部は輪郭内に位置される。この補間は、当該画像部の要素の視差値がゼロに近い正の値を有するようになる補間である。よって、挿入されたグラフィックオブジェクトは、当該３Ｄ画像部の要素の前方に配置される。従って、有利なことに、競合及び視覚的な不快感はない。
【００３４】
図２ｂは、挿入されるグラフィックオブジェクトの周囲に位置する枠の要素の深さも示している。挿入されるオブジェクトの右側において、当該枠の幅の範囲内に２Ｄ移行領域があり、当該領域において３Ｄ画像が変更（修正）される。
【００３５】
実際に、この領域の画像要素は、挿入されるグラフィックオブジェクトの画像要素と再送信された３Ｄ画像の画像要素との間に位置している。視覚的な不快感を回避するため、当該領域に位置するシーンの要素の深さの変更は、好ましくは、挿入されるオブジェクトの全周において漸進的である。
【００３６】
挿入されるグラフィックオブジェクトの深さと、３Ｄ画像の深さとの間の移行がこのようにして生成される。当該領域の要素の深さは、内部エッジに位置している要素の深さ値から外部エッジに位置している要素の深さ値に向けて徐々に大きくなるように変更される。この漸進的な変更は、例えば、線形的な変化または緩やかな変化である。
【００３７】
図２ｂの方式によると、グラフィックオブジェクトの右エッジに位置して２Ｄ移行領域においては、要素の深さは、移行領域の外部エッジの要素の初期深さに対応する深さ値Ｚ１から値Ｚscreenへ変化する。グラフィックオブジェクトの左エッジに位置する２Ｇ移行領域内では、要素の深さは深さＺscreen（正の視差）より大きい。従って、グラフィックオブジェクトのこのサイドにおいて、オクルージョンの危険性は無く、移行領域２Ｇの要素の深さ値を変更（調節）する必要はない。
【００３８】
深さ値の変化の漸進性は当該移行領域の幅に依存する。深さ値と深さ値の間の差が大きいほど、当該領域の幅を大きくすることが望ましい。この幅は特に画素数で決定される。
【００３９】
図２ｃのグラフで表される本発明の変形例によれば、オブジェクトが画面の深さとは異なる深さＺｉで挿入される。移行領域では、要素の深さは、移行領域の外部エッジの要素の深さに対応する深さ値Ｚ１またはＺ２から挿入値Ｚｉへ漸進的に変化する。
【００４０】
他の例においては、挿入されるグラフィックオブジェクトは、ＺＧ２−ＺＧ１で定義される深さの３Ｄ表示であり、ＺＧ２−ＺＧ１は当該グラフィックオブジェクトの最も深い要素の深さと当該グラフィックオブジェクトの最も浅い要素の深さとの差に対応している。説明を簡単にするために、当該グラフィックオブジェクトの挿入は、深さの差の平均値１／２（ＺＧ２−ＺＧ１）に相当する深さの要素が画面レベルまたは所定レベルに位置するように、当該挿入を調節することによって行われる。この場合が図２ｄに示されている。図２ｄに示されているように、移行領域の限界値は前記値に対応する。この領域の画像要素の深さは、当該領域の外部エッジ上の画像の深さ値から、挿入されたグラフィックオブジェクトの最も浅い要素の深さ値ｚＧ１に徐々に変化させる。
【００４１】
図３は、３Ｄ画像を表示する画面の一例を示している。この画像の下部において、テキスト情報の項目が、挿入ウィンドウ内で当該画像に挿入される。挿入されたオブジェクトを囲む枠は所定の厚さ（典型的な場合、５０画素）を有する。この枠は移行領域を画定し、中央処理ユニット３は前記移行領域内に位置している３Ｄ画像の画素の視差を変更（調節）する。挿入されるテキスト情報を表す要素のすべてが画面の平面（スクリーン面）のレベルに位置する深さに配置されている。当該枠の内部エッジに位置して３Ｄ画像のオブジェクトに属する要素は、画面の深さに近い深さに配置される。これら要素を表す画素の視差値はゼロに近いが正である第１の値に対応する。前記枠の外部エッジに位置して３Ｄ画像のオブジェクトに属する画像の要素は、当初の視差値を維持する。前記枠内に位置している中間の画素の深さで補間によって割り当てられた値は、前記第１の値と当該要素の当初の値との間で漸進的に変化する。
【００４２】
図４は、垂直ビデオ軸Ｙと水平ビデオ軸Ｘに基づいて、３Ｄ画像にグラフィックオブジェクトを挿入する補間の例を示している。Ｚ軸は深さ（奥行き）を示し、観察者は値Ｚ＝０に位置している。挿入されるグラフィックオブジェクトの領域では、３Ｄ画像が深さ「Ｚｉｍａｇｅ」に位置し、グラフィックオブジェクトは深さ「Ｚｓｃｒｅｅｎ」に挿入されている。
【００４３】
図４の左下の部分は観察者から見た画面を示し、ＯＳＤ回路によって挿入されたオブジェクトが中心に位置している。図４の右側部分は縦軸Ｙで見たビューを示し、図４の左側部分は横軸Ｘで見たビューを示している。オブジェクトを囲む枠の幅は、Ｙ軸で見ると、（Ｙａ−Ｙｂ）＝（Ｙ’ｂ−Ｙ’ａ）となる。オブジェクトを囲む枠の幅は、Ｘ軸で見ると（Ｘａ−Ｘｂ）＝（Ｘ’ｂ−Ｘ’ａ）となる。枠の幅は移行領域Ｚ２の幅を画定する。改良例では、Ｘ軸における枠の幅はＹ軸における枠の幅と異なる。この相違は、挿入されるオブジェクトが一つの方向において長く他の方向において短い場合に、有用である。また、移行領域の幅を調整することができるという事実は、挿入されたオブジェクト自体が３Ｄであるときに、深さの変化を滑らか（緩やか）にすることを可能にする。Ｙａでは、３Ｄ画像の要素は変更（調整）されない。Ｙｂでは、画像が補間されることにより、要素はＺｓｃｒｅｅｎに等しい最小の深さを有するようになる。ＹａとＹｂ（それぞれＹ’ａとＹ’ｂ）の間において、要素の深さの変化は線形である。同じ理論がＸ軸に適用できる。
【００４４】
枠上に位置する画素の異なる深さに関連する視覚的妨害を減ずるために、前記変化は徐々に変化する放物線状であってもよい。 
改良例によれば、ユーザは、画面の深さ値に対して、グラフィックオブジェクトを挿入するための深さ値の導入手段を有する。この導入手段はカーソルに設けることができ、ユーザによって選択されたカーソルの位置が挿入されるオブジェクトの位置を規定する。観察者が画面の前に挿入されるオブジェクトを多く配置すれば、３Ｄシーンの奥行きはより深くなる。ユーザが画面の背面にカーソルを移動できるようにする必要はない。なぜなら、そうすると深さの効果（印象）がさらに限定されるからである。改良例によれば、補間領域の幅は、ユーザによって導入される調整に依存する。例えば、ユーザが画面の前に明らかに自分のグラフィックオブジェクトを移動する場合、視覚的不快感を減らすための非常に広い補間領域は必要ない。
【００４５】
例えば、挿入されるオブジェクトがロゴである場合、枠の厚さは３０画素に制限することができる。
【００４６】
本発明の改良例によれば、挿入されるオブジェクトに関連するデータのセットは、レシーバ１により受信され、特に以下のもの（情報）を含む。
- オブジェクトの視覚的データ（圧縮されている可能性有り）
- 表示された画像内に挿入されるオブジェクトの位置
- 挿入されるオブジェクトから画面までの距離と、観察者から画面までの距離との比
- 枠の厚さ。
【００４７】
本発明に係るアプリケーションは、画面上に視覚的コンテンツを表示し、追加情報項目の表示の許否を瞬間に行うものを全て含む。ビデオゲームの場合、挿入されるグラフィックオブジェクトはプレイヤーの得点（スコア）であってもよい。従って、スポーツイベントのライブ伝送（生放送）時には、特定のプレイヤーの詳細またはスコアを表示することができる。表示装置２は、典型的には、アクティブ眼鏡またはパッシブ眼鏡を使用する３Ｄテレビ画面であるか、ビデオプロジェクタであるか、３Ｄ画像を表示するその他の装置である。
【００４８】
また、本発明は、視聴覚放送を受信するための装置において実装（実施）できるだけではなく、送信装置においても実装することができる。例えば、放送される３Ｄコンテンツに恒久的にロゴを挿入したいと望むテレビ会社のレベルで実装することができる。
【００４９】
本実施形態は、例示として解釈されなければならなく、特許請求の範囲によって定義された範囲内で変更することができる。特に、本発明は、デジタル視聴覚放送を受信する任意の装置に適用することができる。本発明は、特に、任意の表示手段に三次元画像を表示する全ての技術で実装（実施）することができる。
本発明の好ましい実施形態を、以下に示す。
付記１．
少なくとも１つの三次元画像を生成する方法であって、
グラフィックオブジェクトを所定の挿入深さで前記少なくとも１つの三次元画像に挿入するステップと、 
前記挿入されたグラフィックオブジェクトを囲む移行領域を決定するステップであって、前記領域が前記グラフィックオブジェクトを画定する第１の内部エッジと当該第１のエッジから離れた第２のエッジとにより画定される、ステップと、前記方法はさらに、 
前記移行領域に位置する前記少なくとも１つの画像の要素の深さを、前記移行領域の前記第１のエッジから前記第２のエッジへ、前記挿入されたグラフィックオブジェクトの深さから前記第２のエッジの画像要素の深さへ、順次適合させるステップ、を含む、前記方法。
付記２．
前記適合は、前記移行領域にある各要素に適用される深さが、前記移行領域の前記第１のエッジから前記第２のエッジへ少しずつ増大するようになされる、付記１記載の方法。
付記３．
前記決定された領域の各要素に適用された深さの前記順次適合は、前記領域の前記第１のエッジと第２のエッジの間の距離の関数であり、当該関数は線形関数、三角関数または放物線関数のいずれかである、付記２記載の方法。
付記４．
前記方法は、前記グラフィックオブジェクトに関連付けられたデータを受信するステップを含み、当該受信されたデータは前記挿入されたグラフィックオブジェクトの周りの前記移行領域の幅のデータを少なくとも含む、付記１記載の方法。
付記５．
三次元画像を生成する装置であって、
少なくとも１つの３次元画像にグラフィックオブジェクトを挿入する手段を備え、前記装置はさらに、
前記挿入されたグラフィックオブジェクトを囲む移行領域を決定する手段であって、前記領域は、前記グラフィックオブジェクトの輪郭に対応する第１の内部エッジと前記第１の内部エッジから離れた第２のエッジとによって画定される、手段と、
前記移行領域に位置する前記少なくとも１つの画像の要素の深さを、前記第２のエッジに位置する前記画像の要素の深さから、前記挿入されたグラフィックオブジェクトの深さに順次適合させる手段と、を備える、前記装置。
【図１】
0005902701.tif 000002
【図２ａ】
0005902701.tif 000003
【図２ｂ】
0005902701.tif 000004
【図２ｃ】
0005902701.tif 000005
【図２ｄ】
0005902701.tif 000006
【図３】
0005902701.tif 000007
【図４】
0005902701.tif 000008